【事件の表示】
　特許第１６７０７０９号に関する訂正審判事件について、次のとおり審決する。
【結　論】
　特許第１６７０７０９号に係る明細書及び図面を本件審判請求書に添付された訂正明細書及び図面のとおり訂正することを認める。
【理　由】
第１　請求の要旨
　本件審判の請求の要旨は、特許第１６７０７０９号発明（昭和６１年７月２２日特許出願、平成４年６月１２日設定登録）の明細書及び図面を審判請求書に添付した訂正明細書及び図面のとおり、すなわち、下記１ないし３２のとおり訂正することを求めるものである。
　１　訂正事項ａ
　特許請求の範囲の記載を、
「（１）
長手方向に連続する突条３が突設され、突条３の先端には
が形成されている
装飾材７と枠材１の溶接突部４との接点
することにより
、枠材１，１の溶接突部４，４が互いに向き合い、枠材１，１間に装飾材７を配した
　（２）前記溶接後に枠材１または装飾材７を屈曲加工することを特徴とする特許請求の範囲第１項記載の装飾体の製造方法。
　（３）前記アルマイト処理若しくは塗装後に枠材または装飾材を屈曲加工することを特徴とする特許請求の範囲第１項記載の装飾体の製造方法。」と訂正する。
　２　訂正事項ｂ
　明細書の第２頁第１０行（特許公告公報第２欄第１行）の「従来技術」を削除する。
　３　訂正事項ｃ
　同第２頁末行〜第３頁第２行（同公報第２欄第１１〜１３行）の「溶接突部を有する枠材と装飾材を、双方の当接部である通電接部を溶接によって一体化して」を、「長手方向に連続する突条が突設され、突条の先端には溶接突部が形成されている枠材と装飾材を、装飾材と枠材の溶接突部との接点である通電接部を溶接することにより一体化して、枠材の溶接突部が互いに向き合い、枠材間に装飾材を配した」と訂正する。
　４　訂正事項ｄ
　同第４頁第６行（同公報第３欄第１２行）の「アルミウム」を、「アルミニウム」と訂正する。
　５　訂正事項ｅ
　同第４頁第１２行（同公報第３欄第１８行）の「通電接部」を、「溶接突部」と訂正する。
　６　訂正事項ｆ
　同第４頁第１６行（同公報第３欄第２２行）の「双方の交点」を、「交点」と訂正する。
　７　訂正事項ｇ
　同第４頁第１７行（同公報第３欄第２３行）の「横装飾材７ｂの」を、「横装飾材７ｂと」と訂正する。
　８　訂正事項ｈ
　同第６頁第１〜１７行（同公報第４欄第３〜１８行）の「第６図（Ａ）〜（Ｄ）・・・装飾体Ｕ’を製造する。」を削除する。
　９　訂正事項ｉ
　同第６頁第１８行（同公報第４欄第１９行）の「第７図」を、「第６図」と訂正する。
１０　訂正事項ｊ
　同第８頁第１行（同公報第４欄第４２行）の「第８図」を、「第７図」と訂正する。
１１　訂正事項ｋ
　同第９頁第３行（同公報第５欄第２０行）の「第９図」を、「第８図」と訂正する。
１２　訂正事項ｌ
　同第９頁第１０行（同公報第５欄第２７行）の「通電接部」を、「溶接突部」と訂正する。
１３　訂正事項ｍ
　同第１０頁第９行（同公報第６欄第２行）の「第１０図」を、「第９図」と訂正する。
１４　訂正事項ｎ
　同第１１頁第８〜１１行（同公報第６欄第２１〜２３行）の「第１１図（Ａ），（Ｂ）に示すのは、枠材１として断面略Ｃ字状であって一側面に先端に溶接突部４を有する突条３が突設されたものを使用し、第１０図」を、「第１０図（Ａ），（Ｂ）に示すのは、枠材１として断面略Ｃ字状であって一側面に先端に溶接突部４を有する突条３が突設されたものを使用し、第９図」と訂正する。
１５　訂正事項ｏ
　同第１１頁第１４行（同公報第６欄第２７行）の「通電接部」を、「溶接突部」と訂正する。
１６　訂正事項ｐ
　同第１２頁第３〜５行（同公報第６欄第３６〜３８行）の「上記・・・良い」を削除する。
１７　訂正事項ｑ
　同第１２頁第６行（同公報第６欄第３９行）の「第１２図」を、「第１１図」と訂正する。
１８　訂正事項ｒ
　同第１２頁第８行（同公報第６欄第４１行）の「通電接部」を、「溶接突部」と訂正する。
１９　訂正事項ｓ
　同第１２頁第１６行（同公報第７欄第４〜５行）の「通電接部４，４」を、「溶接突部４，４」と訂正する。
２０　訂正事項ｔ
　同第１３頁１１行（同公報第７欄第１９行）の「第１３図」を、「第１２図」と訂正する。
２１　訂正事項ｕ
　同第１３頁第１８行（同公報第７欄第２６行）の「にに」を、「に」と訂正する。
２２　訂正事項ｖ
　同第１４頁第３行（同公報第７欄第３０行）の「第１４図」を、「第１３図」と訂正する。
２３　訂正事項ｗ
　同第１４頁第１０行（同公報第７欄第３７行）の「第１５及び第１６図」を、「第１４及び第１５図」と訂正する。
２４　訂正事項ｘ
　同第１４頁第１３行（同公報第７欄第４０行）の「第１５図」を、「第１４図」と訂正する。
２５　訂正事項ｙ
　同第１５頁第１行（同公報第８欄第４行）の「第１６図」を、「第１５図」と訂正する。
２６　訂正事項ｚ
　同第１５頁第８行（同公報第８欄第１１行）の「第１７図（Ａ）〜（Ｃ）に示すのは第１５図」を、「第１６図（Ａ）〜（Ｃ）に示すのは第１４図」と訂正する。
２７　訂正事項ａ１
　同第１６頁第３行（同公報第８欄第２６行）の「第１８図」を、「第１７図」と訂正する。
２８　訂正事項ｂ１
　同第１６頁第５行（同公報第８欄第第２８行）の「第１９図」を、「第１８図」と訂正する。
２９　訂正事項ｃ１
　同第１６頁第１３行（同公報第８欄第３６行）の「第１８，１９図」を、「第１７，１８図」と訂正する。
３０　訂正事項ｄ１
　同第１７頁第１〜３行（同公報第８欄第４４〜第９欄第２行）の「溶接突部を有する枠材１と装飾材を、双方の当接部である通電接部を溶接によって一体化して」を、「長手方向に連続する突条が突設され、突条の先端には溶接突部が形成されている枠材と装飾材を、装飾材と枠材の溶接突部との接点である通電接部を溶接することにより一体化して、枠材の溶接突部が互いに向き合い、枠材間に装飾材を配した」と訂正する。
３１　訂正事項ｅ１
　同第１８頁第３行〜第１９頁第９行（同公報第９欄第２０行〜第１０欄第２０行）の「第６図（Ａ）は装飾体の他の実施例の正面図、第６図（Ｂ）は第６図（Ａ）のＢ−Ｂ線断面図、第６図（Ｃ）は第６図（Ａ）のＣ−Ｃ線断面図、第６図（Ｄ）は枠材同士の突合せ部の斜視図、第７図（Ａ）は他の実施例である装飾体と枠材の連結状態の斜視図、第７図（Ｂ）はその装飾体の縦断面図、第７図（Ｃ）はその装飾体の横断面図、第８図（Ａ）は他の実施例である装飾体と枠材の連結状態の斜視図、第８図（Ｂ）はその装飾体の縦断面図、第８図（Ｃ）はその横断面図、第９図（Ａ）は他の実施例である装飾体を使用した障子戸の正面図、第９図（Ｂ）は第９図（Ａ）のＢ−Ｂ線断面図、第９図（Ｃ）は第９図（Ａ）のＣ−Ｃ線断面図、第１０図（Ａ）は他の実施例である装飾体の正面図、第１０図（Ｂ）は第１０図（Ａ）のＢ−Ｂ線断面図、第１０図（Ｃ）は第１０図（Ａ）のＣ−Ｃ線断面図、第１１図（Ａ）は他の実施例である装飾体の正面図、第１１図（Ｂ）はその溶接状態の断面図、第１２図は手摺りに装飾体を使用した場合の縦断面図、第１３図は手摺りのその他の実施例の一部縦断面図、第１４図は面格子に装飾体を使用した場合の縦断面図、第１５図及び１６図はバルコニー等の手摺りに装飾体を使用した場合の縦断面図、第１７図（Ａ）は左右の装飾体の連結状態の斜視図、第１７図（Ｂ）はその正面図、第１７図（Ｃ）は第１７図（Ｂ）のＣ−Ｃ線断面図、第１８図及び第１９図は端部隠しの他の実施例の横断面図である。」を、「第６図（Ａ）は他の実施例である装飾体と枠材の連結状態の斜視図、第６図（Ｂ）はその装飾体の縦断面図、第６図（Ｃ）はその装飾体の横断面図、第７図（Ａ）は他の実施例である装飾体と枠材の連結状態の斜視図、第７図（Ｂ）はその装飾体の縦断面図、第７図（Ｃ）はその横断面図、第８図（Ａ）は他の実施例である装飾体を使用した障子戸の正面図、第８図（Ｂ）は第８図（Ａ）のＢ一Ｂ線断面図、第８図（Ｃ）は第８図（Ａ）のＣ−Ｃ線断面図、第９図（Ａ）は他の実施例である装飾体の正面図、第９図（Ｂ）は第９図（Ａ）のＢ一Ｂ線断面図、第９図（Ｃ）は第９図（Ａ）のＣ一Ｃ線断面図、第１０図（Ａ）は他の実施例である装飾体の正面図、第１０図（Ｂ）はその溶接状態の断面図、第１１図は手摺りに装飾体を使用した場合の縦断面図、第１２図は手摺りのその他の実施例の一部縦断面図、第１３図は面格子に装飾体を使用した場合の縦断面図、第１４図及び１５図はバルコニー等の手摺りに装飾体を使用した場合の縦断面図、第１６図（Ａ）は左右の装飾体の連結状態の斜視図、第１６図（Ｂ）はその正面図、第１６図（Ｃ）は第１６図（Ｂ）のＣ一Ｃ線断面図、第１７図及び第１８図は端部隠しの他の実施例の横断面図である。」と訂正する。
３２　訂正事項ｆ１
　図面において、第６図（Ａ）、第６図（Ｂ）、第６図（Ｃ）、第６図（Ｄ）を削除し、第１図（Ａ）、第２図（Ａ）、第７図（Ａ）、第７図（Ｂ）、第７図（Ｃ）、第８図（Ａ）、第８図（Ｂ）、第８図（Ｃ）、第９図（Ａ）、第９図（Ｂ）、第９図（Ｃ）、第１０図（Ａ）、第１０図（Ｂ）、第１０図（Ｃ）、第１１図（Ａ）、第１１図（Ｂ）、第１２図、第１３図、第１４図、第１５図、第１６図、第１７図（Ａ）、第１７図（Ｂ）、第１７図（Ｃ）、第１８図、第１９図（それぞれ訂正後の、第１図（Ａ）、第２図（Ａ）、第６図（Ａ）、第６図（Ｂ）、第６図（Ｃ）、第７図（Ａ）、第７図（Ｂ）、第７図（Ｃ）、第８図（Ａ）、第８図（Ｂ）、第８図（Ｃ）、第９図（Ａ）、第９図（Ｂ）、第９図（Ｃ）、第１０図（Ａ）、第１０図（Ｂ）、第１１図、第１２図、第１３図、第１４図、第１５図、第１６図（Ａ）、第１６図（Ｂ）、第１６図（Ｃ）、第１７図、第１８図）を、別紙の通り、即ち第７図以降の図番を繰り上げ、また、第１図（Ａ）において、「４　溶接空部」を「４　溶接突部」と、「３　空条」を「３　突条」と訂正し、第２図（Ａ）において、「７ａ　装飾材」を「７ａ　縦装飾材」と、「７ｂ」を「７ｂ　横装飾材」と訂正し、「７　装飾材」を加入し、第８図（Ｂ）において、「８」を２カ所加入し、第９図（Ｂ）及び第９図（Ｃ）において、それぞれ「１７」を１カ所加入し、第１３図及び第１４図において、それぞれ「３」を「４」と訂正する。
第２　当審の判断
　１　訂正の目的の適否、新規事項の有無及び拡張・変更の存否について
（１）訂正事項ａについて
　この訂正は、特許請求の範囲第１項において、「溶接突部４を有する枠材」を、「長手方向に連続した突条３が突設され、突条の先端には溶接突部４が形成された枠材」と限定し、また、「双方の当接部である通電接部８を溶接によって一体化したユニット体Ｕ」を、「装飾材７と枠材１の溶接突部４との接点である通電接部８を溶接することにより一体化して、枠材１，１の溶接突部４，４が互いに向き合い、枠材１，１間に装飾材７を配したユニット体Ｕ」と限定するものであるから、特許請求の範囲の減縮を目的とするものに該当する。また、これらの限定は、明細書第３頁第１７行〜第４頁第１行（本件特許公報第３欄第３〜７行）の「枠材１は、・・・長手方向に連続する突条３が突設されている。突条３の先端には丸棒状の溶接突部４が形成されている。」と、同第４頁第２〜１２行（同公報第３欄第８〜１８行）の「この枠材１，１の溶接突部４，４を互いに向き合せて、該枠材１，１を左右に平行に配置する。・・・この左右の枠材１，１間に・・・装飾材７を載置する。・・・横装飾材７ｂの左右端は枠材１，１の通電接部４，４上に配置し、」と、同第６頁第１８行〜第７頁第１行（同公報第４欄第１９〜２１行）の「第７図（Ａ）〜（Ｃ）に示すのは・・・一側面に先端に溶接突部４を有する突条３が突設されたものが使用されている。」と、同第７頁第２〜６行（同公報第４欄第２３〜２７行）の「この枠材１を上下に平行に配し、突条３，３を互いに対向させる。この枠材１，１間に格子状に装飾材７ａ，７ｂを配して縦装飾材７ａの上下端を枠材１，１の溶接突部４，４の一側に当接する。」と、同第８頁第１〜１０行（同公報第４欄第４２行〜第５欄第７行）の「第８図（Ａ）〜（Ｃ）に示すのは・・・ウェブ部１４に溶接突部４を先端に有する突条３が枠材１の側壁より突出して突設されたものが使用されている。この枠材１，１を上下に平行に配し、各溶接突部４，４を互いに向き合う方向に対向させる。上下の溶接突部４，４間には装飾材７ａ、７ｂを格子状に配する。・・・装飾材７ａと枠材１の溶接突部４との接点である通電接部８を溶接する。」と、同第１０頁第１５〜１６行（同公報第６欄第８〜９行）の「一方の嵌合溝２２の一側には先端に溶接突部４を有する突条３が突設されている。」と、同第１１頁第８〜１０行（同公報第６欄第２１〜２３行）の「第１１図（Ａ），（Ｂ）に示すのは、・・・一側面に先端に溶接突部４を有する突条３が突設されたものを使用し、」と、同第１２頁第６〜１７行（同公報第６欄第３９〜第７欄第６行）の「第１２図に示すのは・・・下面に先端に通電接部４を有する突条３を突設した中空状の笠木と、同じく枠材１として上方に先端に溶接突部４を有する突条３を突設した取付部材を上下に配し、両枠材１，１間に格子状に縦横装飾材７ａ、７ｂを配する。縦装飾材７ａの上下端を上下枠材１，１の溶接突部４，４に当接して、・・・縦装飾材７ａと上下枠材１，１の通電接部４，４との接点である通電接部８を溶接する。」との記載、及び第１図（Ｂ）、第２図（Ｂ）、第３図（Ｂ）、第７図（Ａ）、（Ｂ）、第８図（Ａ）、（Ｂ）、第９図（Ｂ）、（Ｃ）、第１０図（Ｂ）、（Ｃ）、第１１図（Ｂ）、第１２図〜１６図及び第１７図（Ａ）、（Ｂ）に示された事項に基づくものであるから、この訂正は、願書に添付した明細書又は図面に記載した事項の範囲内の訂正であって、かつ、実質上特許請求の範囲を拡張し、又は変更するものではない。
（２）訂正事項ｂについて
　この訂正は、不要な語句を削除するものであるから、誤記の訂正を目的とするものに該当する。
（３）訂正事項ｃ、ｄ１について
　これらの訂正は、前記特許請求の範囲第１項を訂正した結果、不明瞭となった発明の詳細な説明の記載を、特許請求の範囲の記載に整合させたものであるから、明りようでない記載の釈明を目的とするものに該当する。
（４）訂正事項ｉ〜ｋ、ｍ、ｎ、ｑ、ｔ、ｖ〜ｚ、ａ１、〜ｃ１、ｅ１について
　これらの訂正は、第６図を削除したことにより、第７図以降の図番を繰り上げるために行う訂正であるから、明りようでない記載の釈明を目的とするものに該当する。
（５）訂正事項ｄ、ｅ、ｆ、ｇ、ｌ、ｏ、ｒ、ｓ、ｕについて
　これらの訂正は、明らかに誤記を訂正したものであるから、誤記の訂正を目的とするものに該当する。
（６）訂正事項ｈ，ｐについて
　これらの訂正は、いずれも特許請求の範囲を訂正した結果、本件発明との関係が不明瞭となったため削除するものであるから、明りようでない記載の釈明を目的とするものに該当する。
（７）訂正事項ｆ１について
　これらの訂正は、第６図（Ａ）〜（Ｄ）を削除したことによる第７図以降の図番の繰り上げる訂正と、図面の符号や語句の誤りを訂正し、または明細書の記載との対応関係を明らかにするため符号や語句を加入する訂正であるから、誤記の訂正または明りようでない記載の釈明を目的とするものに該当する。
　また、上記訂正事項ｂ〜ｆ１は、いずれも願書に添付した明細書又は、図面に記載した事項の範囲内の訂正であって、かつ、実質上特許請求の範囲を拡張し、又は変更するものではない。
　２　独立特許要件について
（１）訂正後における特許請求の範囲に記載されている事項により構成される発明（以下「訂正後の発明」という。）は、訂正明細書の特許請求の範囲第１項に記載された前記第１の１に示したとおりのものと認める。
（２）本件特許に関する特許無効審判事件（無効２０００−３５０４０号）において当該審判請求人から提示された下記の刊行物に記載された発明乃至技術的事項
ア　刊行物１：実公昭５５−３３０３７号公報
「アルミ製骨材１にアルミ製中格子２の複数本を溶接して形成する式のものにおいて、該骨材１と各中格子２との間に、少くともその何れか一方に突設した突片３で間隙４を形成し、該間隙４を残した状態で骨材１と中格子２とを溶接して成るアルミ製門扉。」（実用新案登録請求の範囲）、
「骨材１は、１対の縦枠５，５と、これら縦枠５，５の間に張設した１対の横枠６，６とからなり、両横枠６，６の前面に各中格子２をその背面において溶接せしめるようにした。前記突片３は、各中格子２の背面にその全長に亙って２条に形成した各中格子２と各横枠６との間にこれら２条の突片３，３の内側部と外側部とにおいて前記間隙４を形成させ、該内側部の中間部において、中格子２の背面を横枠６の前面の上下部に点付け溶接した。」（第２欄第７〜１６行）、及び
「このように本考案によるときは、骨材１と中格子２との間に突片３により間隙４を形成し、該間隙４を残した状態で骨材１と中格子２とを溶接せしめるようにしたので、溶接後アルマイト処理や着色処理を施す場合に該間隙４に処理液が進入しても該間隙４は上記従来のものにおける微細な間隙ではないので、該処理液は水洗処理によって容易に洗い落とされ、処理液の残留によるアルマイトの劣化や変色を来たすことが無い効果を有する。」（第２欄第２２〜３１行）
　以上の記載事項から、刊行物１には、次の発明が記載されていると認められる。
　１対の縦枠５，５と、これら縦枠５，５の間に張設した１対の横枠からなる骨材１の横枠と中格子との間に、少くともその何れか一方に突設した突片で間隙を形成し、該間隙を残した状態で、枠材と中格子２を点付け溶接することにより一体化し、溶接後アルマイト処理若しくは塗装することによってアルミ製門扉を製造する方法。
イ　刊行物２の１：実開昭５２−３２５６、及び
　　刊行物２の２：実願昭５０−８９０７９号（実開昭５２−３２５６号）のマイクロフィルム
「鈑体を折曲して形成した胴縁の前面に連続した突条を形成すると共に連続した突出縁を平行状に並設せしめた縦桟を形成し、縦桟の突出縁を胴縁の突条に点接触せしめ、該接触部を加圧し双方を熔着固定せしめて成る格子材。」（実用新案登録請求の範囲）、及び「而して縦桟３の突出縁４を間隔をおいて配した胴縁１の突条２に点接触せしめ、該接触部をプロジェクション熔接により加圧することで熔着固定せしめるのである。」（第２頁第５〜８行）
ウ　刊行物３：実開昭５５−１２９９５１号公報
「胴縁１に、中間に凸条３を一連に形成した係止片２を胴縁１の長手方向に沿って設けると共に、縦桟４に、中間に凹部６を有する溝５を端部から形成し、当該溝５に係止片２を嵌入し、凸条３を凹部６に圧入嵌着して胴縁１と縦桟４を接合してなるフエンス。」（実用新案登録請求の範囲第１項）　
エ　刊行物４：実公昭５５−４９８５３号公報
「底部に二重のＪ字形舌片４を有して立上り部４ａに穴５を有する笠木１と、頂部にＪ字形舌片６を有し垂下部６ａに穴７を有するフレーム２と、上下端に前記Ｊ字形舌片４，６と係合するＪ字形舌片８，９を有し夫々の立上り部８ａ，９ａに穴１０，１１を有する手すり子３とからなり、Ｊ字形舌片４と８，６と９を係合し、外方からプレスにて押圧し結合することを特徴とする手すりの組立構造。」（実用新案登録請求の範囲）、
「従来のバルコニー等の手すりは溶接を主体にして組立てていた。溶接による組立構造では溶接部の塗装が完全にできない。即ち溶接部のサビの発生は不可避であった。そこで溶接を用いずに、しかも強力な組立構造が望まれているが、本考案はその課題に応えるものである。」（第１欄第２９〜３４行）、及び
「固着部に溶接を用いないのでサビの心配がない。」（第２欄第２３〜２４行）
オ　刊行物５：実開昭５８−１５３６５９号公報
「相対向してなる一対の桟の対向側に突条片を夫々突設し、該各突条片に一部を残して一対の溝を形成し、該溝間に嵌入片を形成してなるとともに、相対向する桟間に配設される中空状小桟の両端部に前記桟の溝に対応して、少なくとも突条片の一部を嵌入する溝を形成し、該溝と離間して凹部又は孔を形成してなるとともに、桟の突条片の溝の間隔と小桟の肉厚とほぼ等しくし且つ小桟の溝の間隔と桟の突条片の肉厚とほぼ等しくしてあり、桟の嵌入片を小桟の対向壁間に嵌入し、突条片の縁部を変形せしめて前記凹部又は孔に係合せしめてなることを特徴とする建築用格子体。」（実用新案登録請求の範囲）
カ　刊行物６：「機械工学便覧　応用編　Ｂ２　加工学・加工機器」、社団法人日本機械学会、昭和５９年１０月１０日発行、ｐ．５９−６１
　抵抗溶接に重ね抵抗溶接と突合せ抵抗溶接法があり、前者にはスポット溶接、プロジェクション溶接、シーム溶接が含まれること、プロジェクション溶接は被加工物の一方に突起（プロジェクション）を設けて電流及び加圧力の集中を図り抵抗溶接する方法であること、その溶接条件は基本的にスポット溶接と同じであること。
キ　刊行物７：実公昭５２−１７４０号公報
「円形断面の棒材を水平かつ所定間隔をもって多数段に配置し、前記棒材を縦枠で組立ててなるフェンスにおいて棒材の直径を４〜６ｍｍ、棒材間隔を１５〜２５ｍｍとしてなることを特徴とする構造。」（実用新案登録請求の範囲）、及び「一定間隔に支柱１，１が樹立され、この支柱１，１間に格子状単位パネル２が取付けられる。この単位パネル２は円形断面の丸鋼等からなる棒材３を水平かつ所定間隔をもって多数段に配置される。なお上下端には２本の棒材３を配置する。そして所定間隔に縦枠４が配置され、棒材３と縦枠４とはマルチ溶接等によってその交叉点が溶接して組み立てられている。」（第１欄第３０行〜第２欄第７行）
ク　刊行物８：実開昭５２−３８４３２号公報
「横桟と縦桟を交差させて形成せるフェンスにおいて、横桟の長手方向に亘って凸条を設け、該凸条に縦桟を圧接してプロゼクション溶接してなるフェンス。」（実用新案登録請求の範囲）
（３）対比・判断
　訂正後の発明と各刊行物に記載された発明乃至技術的事項とを対比すると、
　刊行物１に記載された発明は、骨材の横枠（訂正後の発明の「枠材」に対応する。以下、括弧内の部材は同様である。）と中格子（「装飾材」）を溶接することにより一体化し、溶接後アルマイト処理若しくは塗装するとしても、横枠と中格子の少くともその何れか一方に突設された突片は、両者間に間隙を形成するためのものであり、しかも溶接は点付け溶接であるので、当該一方に突設された突片と、他方との接点である通電接部を溶接することを想定したものでない。
　また、刊行物２の１、２に記載されたものは、鈑体を折曲して形成した胴縁（「枠材」）の前面に連続した突条を形成すると共に連続した突出縁を平行状に並設せしめた縦桟（「装飾材」）を形成し、縦桟の突出縁を胴縁の突条（「溶接突部」）に点接触せしめ、該接触部（「通電接部」）を溶接することにより一体化するものの、胴縁の突条は本件発明でいう突条の先端に形成されたものでなく、又胴縁の突条は互いに向き合ったものでもなく、刊行物３に記載されたものは、胴縁（「枠材」）の凸条３を、縦桟（「装飾材」）の凹部６に圧入嵌着するとともに、縦桟の端部から形成した溝に係止片２を嵌入することにより胴緑と縦桟を接合するものであるから、係止片２の凸条３を除く部分や、前記溝も固定部として機能するものであり、刊行物４に記載されたものは、笠木１又はフレーム２（「枠材」）と手すり子３（「装飾材」）との固着手段として、従来の溶接による塗装の付着不良の問題を解決するために、わざわざ溶接を排斥した機械的組立構造を採用したものであり、刊行物５に記載されたものは、横桟（「枠材」）の突条片の溝の間隔と縦小桟（「装飾材」）の肉厚とほぼ等しくし且つ小桟の満の間隔と桟の突条片の肉厚とほぼ等しくしてあり、横桟の嵌入片を縦小桟の対向壁間に嵌入し、突条片の緑部を変形せしめて前記凹部又は孔に係合せしめることから、突条片の縁部の変形部１０とともに、突条片に形成された一対の溝６，６や、縦小桟４の両端部に形成された溝８，８に嵌入される突条片５の一部も固定部として機能するものであって、これらの刊行物３ないし５に記載されたものは、いずれも機械的組立構造を採用するものであり、これらの突条は訂正後の発明の突条とは技術的意義が相違するものであり、刊行物６に記載されたものは、スポット溶接やプロジェクション溶接の一般的な説明にすぎない。
　さらに、刊行物７に記載されたものは、丸鋼等からなる棒材と縦枠とをマルチ溶接等によってその交叉点を溶接して組み立てるものにすぎず、刊行物８に記載されたものは、横桟（「枠材」）と縦桟（「装飾材」）を交差させて形成せるフェンスにおいて、横桟の長手方向に亘って凸条（「溶接突部」）を設け、該凸条に縦桟を圧接してプロゼクション溶接したものにすぎず、該凸条は、本件発明でいう突条の先端に形成されたものでなく、又横桟の突条は互いに向き合ったものでもない。
　したがって、各刊行物に記載された発明乃至技術的事項は、いずれも訂正後の発明の構成要件である「長手方向に連続する突条が突設され、突条の先端には溶接突部が形成されている枠材」、及び「装飾材と枠材の溶接突部との接点である通電接部を溶接することにより一体化して、枠材の溶接突部が互いに向き合い、枠材間に装飾材を配したユニット体」を備えておらず、当該構成要件により訂正後の発明は、溶接突部は枠材本体から離れて位置することになるから、溶接時に、電極で枠材本体を挟んで通電溶接する必要はなく、突条先端の溶接突部と装飾体とを電極で挟んで通電溶接すればよいので、溶接加工中に加える加圧力が枠材本体に直接及ぶことはないという作用効果を奏するものと認められる。
　したがって、訂正後の発明は、刊行物１ないし８に記載された発明乃至技術的事項に基づいて当業者が容易に発明をすることができたものとすることはできない。
　よって、訂正後の発明は、特許出願の際独立して特許を受けることができる発明である。
第３　むすび
　したがって、本件審判の請求は、平成６年法律第１１６号による改正前の特許法第１２６条第１項ただし書、第２項及び第３項の規定に適合する。　
　よって、結論のとおり審決する。